(57)【要約】【課題】装飾性を損なうことなくキーヘッド部に容易に着脱可能でそのキーヘッド部のキーホルダとの連結機能をも備える構造にすることにより、ブランクキーなどとして予め準備することなく、任意に所望の飾りなどを取り付けることを実現して、装飾性や使い勝手や信頼性に優れるキーヘッドカバーを提供すること。【解決手段】錠機構を施錠・開錠するキー本体１０１を操作可能に把持するキーヘッド部に取り付けるキーヘッドカバー１０であって、キーホルダを連結可能なリング部材１１と、このリング部材とキーヘッド部のキーホルダ用の連結穴とに連結する引掛部材と、この引掛部材とリング部材と共にキーヘッド部を内装するスリットを内部に形成されているとともに各種情報を表示する平面部１４を両面に有するカバー部材１３と、を備える。【選択図】図１
2009036015.tif 000002
【特許請求の範囲】
【請求項１】
錠機構を施錠・開錠するキー本体を操作可能に把持する該キー本体のキーヘッド部に取り付けるキーヘッドカバーであって、
キーヘッド部に準備されているキーホルダ用の連結部の機能を該キーヘッド部から離隔する位置に延長する延長部材と、該延長部材と共にキーヘッド部を内部に収装するカバー部材と、を備えており、
該カバー部材は、キーヘッド部を内装可能に開口する第１開口部が一端側に形成されているとともに、延長部材のキーホルダ用の連結部を外部に露出可能に開口する第２開口部が他端側に形成されていることを特徴とするキーヘッドカバー。
【請求項２】
前記カバー部材は、板状に形成されて、厚さ方向の中間にキーヘッド部や延長部材を内装可能なスリットが形成されることにより第１、第２開口部が両端側に開口しているとともに、該スリットと平行な平面状の外面に形成されて各種情報を表示可能な表示部を備えることを特徴とする請求項１に記載のキーヘッドカバー。
【請求項３】
前記カバー部材は、弾性力を有するとともに表面における摩擦抵抗の大きな樹脂材料により作製されて、第２開口部が延長部材の連結部の外形よりも小さめの内面形状に形成されていることを特徴とする請求項１または２に記載のキーヘッドカバー。
【請求項４】
前記延長部材は、キーホルダ用の連結穴の開口する連結部と、該連結部をキーヘッド部のキーホルダ用の連結穴の開口する連結部に連設する中間部と、を別部品として作製されており、
該延長部材の連結部と中間部は、相対回転自在に連設されていることを特徴とする請求項１から３のいずれかに記載のキーヘッドカバー。
【請求項５】
前記延長部材の中間部として、折り返して端部同士を結合した状態の当該端部が太めに形成されている線状材料を具備する一方、
前記延長部材の連結部は、キーホルダ用の連結穴の開口するリング部材と、中間部の線状材料の端部を収容可能な有底の筒形状に形成されている筒状部材と、を具備しており、
前記延長部材の連結部の筒状部材は、線状材料の端部を引抜不能であると同時に当該折り返し側を挿通可能な大きさで開口する挿通穴を筒形状の底部に形成されるとともに該筒形状の開口側の側面にリング部材を連結する連結穴が形成される一方、
前記延長部材の中間部の線状材料は、キーヘッド部のキーホルダ用の連結穴内に折り返し先端を差し込んで該折り返し先端内に両端部側を挿通させた状態でカバー部材内に第１開口部から内装させたときに、該両端部を収容する筒状部材の連結穴が第２開口部の外部に位置する長さに設定されていることを特徴とする請求項４に記載のキーヘッドカバー。
【請求項６】
前記延長部材は、キーホルダ用の連結穴の開口する連結部と、該連結部をキーヘッド部のキーホルダ用の連結穴の開口する連結部に連設する中間部と、を別部品として作製されており、
該延長部材の連結部は、キーヘッド部と同様に肉薄に作製されてキーホルダ用の連結穴が開口しているのに対して、中間部は、これらの連結部の連結穴内のそれぞれに差し込んで連結させるＵ字形状が両端側に位置するように形成されていることを特徴とする請求項１から５のいずれかに記載のキーヘッドカバー。
【請求項７】
前記カバー部材は、鍵機構との間で非接触通信して該鍵機構を操作する鍵操作装置を第１開口部から内装可能に設計されているとともに、
前記延長部材は、該鍵操作装置のキーホルダ用の連結部に連結可能に設計されていることを特徴とする請求項１から６のいずれかに記載のキーヘッドカバー。
【請求項８】
前記延長部材は、カバー部材の第１開口部から内装可能な鈴や発光装置などのアクセサリ用品を連結する手段を備えることを特徴とする請求項１から６のいずれかに記載のキーヘッドカバー。
【発明の詳細な説明】
【技術分野】
【０００１】
本発明は、キーヘッドカバーに関し、詳しくは、キー本体のキーヘッド部にキーホルダを取り付ける機能を確保しつつ該キーヘッド部に所望の飾りなどを取り付けることを可能にするものに関する。
【背景技術】
【０００２】
従来、錠機構を施錠・開錠するキー本体に好みの飾りなどを付ける場合には、そのキー全体を収容するキーケースを利用することが行われている一方、そのキー本体のキーヘッド部自体に飾りを付けることも行われており、例えば、図１３に示すように、合鍵の作製用に予め準備するブランキー本体１０１のキーヘッド部１０２に多種のキャラクターＣなどを一体形成しておき、好みに応じて選択して合鍵として作製することも行われていた。
【０００３】
しかるに、近年のキー本体としては、防犯機能の向上された多種多様な各種キーが普及してきており、そのようなキー本体用のブランクキー本体をそれぞれ準備しておくことが実質的に不可能になってきている。このことから、キー本体の飾りには、操作する際に把持するキーヘッド部に所望のキャラクター等の飾りなどを個別に取り付けることが提案されている。
【０００４】
この種のキーヘッド部の飾りとしては、例えば、そのキーヘッド部自体を小さく加工して所望のヘッド飾り内に差し込んで固定することが提案されている（例えば、特許文献１、２参照）。また、キーヘッド部の全体を内装可能なカバー状の飾りを取り付けることも考えられており、例えば、そのキーヘッド部に被せるカバー部材を接着剤により固定するものが提案されている（例えば、特許文献３参照）。
【０００５】
また、例えば、図１４に示すように、キー本体１０１に連設されているキーヘッド部１０２に予め準備されているキーホルダ用の連結穴１０２ａを利用するものも存在しており、図１５に示すように、そのキーヘッド部１０２にキャラクターＣの施されているカバー部材１００を被せることのできるキー本体飾りも市販されている。このキー本体飾りのカバー部材１００には、キーヘッド部１０２のキーホルダ用の連結穴１０２ａに一致する位置に差込穴１００ａを開口させてキーホルダなどを係合させることができるように作製されている。
【特許文献１】実開平７−３８４９５号公報
【特許文献２】特開２００２−３３９６０６号公報
【特許文献３】特開２００１−３０３８１２号公報
【発明の開示】
【発明が解決しようとする課題】
【０００６】
しかしながら、このような従来のキーヘッド部の飾りにあっては、キーヘッド部自体を小さく加工してしまったり、カバー部材を接着剤により固着させてしまっては、キー本体の番号などの各種情報が分らなくしてしまい、合鍵を作製する場合に支障が出てしまう。また、当初からキーヘッド部自体を小さくしているものを飾りのためだけに、鍵メーカに準備しておいてもらうことも現実的でない。
【０００７】
また、キーヘッド部にカバー部材を接着剤により固着させる方式では、そのカバー部材にキーホルダを連結しているだけであり、そのカバー部材がキーヘッド部から気が付かないうちに外れてしまうと、キー自体を紛失してしまう。また、そのカバー部材の飾りが流行遅れになっても容易に交換することができない。
【０００８】
さらに、キー本体１０１は、図１６に示すように、金属線２０１を単純に周回させている安価なリング（所謂、２重カン）２００を、予め準備されている連結穴１０２ａに係合させてキーホルダを連結することが多用されているが、図１５に示すように、キーヘッド部１０２に被せるカバー部材１００のキャラクターＣ内にそのキーヘッド部１０２の連結穴１０２ａを開口させる差込穴１００ａを形成するのでは、そのキャラクターの装飾性を損なってしまう一方、その差込穴１００ａの形成位置を避けようとすると、キャラクターＣの創作性に制限が加えられてしまう。
【０００９】
そこで、本発明は、装飾性を損なうことなくキーヘッド部に容易に着脱可能でそのキーヘッド部のキーホルダとの連結機能をも備える構造にすることにより、ブランクキー本体などとして予め準備することなく、任意に所望の飾りなどを取り付けることを実現して、装飾性や使い勝手や信頼性に優れるキーヘッドカバーを提供することを目的とする。
【課題を解決するための手段】
【００１０】
上記課題を解決するキーヘッドカバーの第１の発明は、錠機構を施錠・開錠するキー本体を操作可能に把持する該キー本体のキーヘッド部に取り付けるキーヘッドカバーであって、キーヘッド部に準備されているキーホルダ用の連結部の機能を該キーヘッド部から離隔する位置に延長する延長部材と、該延長部材と共にキーヘッド部を内部に収装するカバー部材と、を備えており、該カバー部材は、キーヘッド部を内装可能に開口する第１開口部が一端側に形成されているとともに、延長部材のキーホルダ用の連結部を外部に露出可能に開口する第２開口部が他端側に形成されていることを特徴とするものである。
【００１１】
この発明では、キーヘッド部のキーホルダ用連結部に延長部材を連結してキーホルダ用の連結部の機能を延長するとともに、この延長部材と共にキーヘッド部をカバー部材内に一端側の第１開口部から収装して内装させるだけで、キーヘッド部のキーホルダ用連結部を延長した延長部材のキーホルダ用連結部をカバー部材の他端側の第２開口部から露出させることができる。したがって、キーヘッド部には、キー本体の反対側のカバー部材から露出する延長部材の連結部にキーホルダを機械的に直接連結することができるとともに、ネジ頭などにより装飾性が損なわされてしまうことなく、そのカバー部材の一端側から他端側までの外面に所望の目的に応じた飾りなどを取り付けることができる。
【００１２】
上記課題を解決するキーヘッドカバーの第２の発明は、上記第１の発明の特定事項に加え、前記カバー部材は、板状に形成されて、厚さ方向の中間にキーヘッド部や延長部材を内装可能なスリットが形成されることにより第１、第２開口部が両端側に開口しているとともに、該スリットと平行な平面状の外面に形成されて各種情報を表示可能な表示部を備えることを特徴とするものである。
【００１３】
この発明では、キーヘッド部と延長部材を内装する板状のカバー部材内のスリットと平行な両端間の外面に準備されている平面状の表示部に各種情報を表示することができる。したがって、キーヘッド部が不必要に大型化してキー本体自体の使い勝手を悪くしてしまうことなく、そのキーヘッド部のカバー部材の平面状の表示部に、例えば、好みのキャラクターのシールを装飾性を損なうことなく貼付することを可能にするとともに、キーホルダ形式の広告のように邪魔にされて外されてしまうことなく、故障時の連絡先などの広告を貼付しておくことができる。
【００１４】
上記課題を解決するキーヘッドカバーの第３の発明は、上記第１または第２の発明の特定事項に加え、前記カバー部材は、弾性力を有するとともに表面における摩擦抵抗の大きな樹脂材料により作製されて、第２開口部が延長部材の連結部の外形よりも小さめの内面形状に形成されていることを特徴とするものである。
【００１５】
この発明では、カバー部材は弾性力により第１開口部を大きく開口させてキーヘッド部と延長部材を容易に内装することができるとともに、その接触する表面の摩擦抵抗により容易に出てしまわないように内部に留めることもでき、特に、第２開口部が延長部材の連結部の外面に弾性力により圧接して位置決め保持することができる。したがって、カバー部材は、キーヘッド部に接着剤などにより固着することなく、取り付けた状態を維持することができ、キー本体の番号などを確認したい場合には容易にキーヘッド部を内部から容易に取り出すことができる。
【００１６】
上記課題を解決するキーヘッドカバーの第４の発明は、上記第１から第３のいずれか発明の特定事項に加え、前記延長部材は、キーホルダ用の連結穴の開口する連結部と、該連結部をキーヘッド部のキーホルダ用の連結穴の開口する連結部に連設する中間部と、を別部品として作製されており、該延長部材の連結部と中間部は、相対回転自在に連設されていることを特徴とするものである。
【００１７】
この発明では、延長部材は第１開口部からキーヘッド部と共に収装されて、中間部がキーヘッド部の連結部（連結穴）に連結される一方、連結部が第２開口部から露出されることによりキーヘッド部の連結部と同様にキーホルダを連結することができ、この中間部と連結部は、それぞれに連設されているキーヘッド部とキーホルダとを相対回転自在に連結状態を維持することができる。したがって、キーヘッド部に対してキーホルダが繰り返し回転したとしても連結箇所にストレスを溜めてしまうことなく連結状態を維持することができる。
【００１８】
上記課題を解決するキーヘッドカバーの第５の発明は、上記第４の発明の特定事項に加え、前記延長部材の中間部として、折り返して端部同士を結合した状態の当該端部が太めに形成されている線状材料を具備する一方、前記延長部材の連結部は、キーホルダ用の連結穴の開口するリング部材と、中間部の線状材料の端部を収容可能な有底の筒形状に形成されている筒状部材と、を具備しており、前記延長部材の連結部の筒状部材は、線状材料の端部を引抜不能であると同時に当該折り返し側を挿通可能な大きさで開口する挿通穴を筒形状の底部に形成されるとともに該筒形状の開口側の側面にリング部材を連結する連結穴が形成される一方、前記延長部材の中間部の線状材料は、キーヘッド部のキーホルダ用の連結穴内に折り返し先端を差し込んで該折り返し先端内に両端部側を挿通させた状態でカバー部材内に第１開口部から内装させたときに、該両端部を収容する筒状部材の連結穴が第２開口部の外部に位置する長さに設定されていることを特徴とするものである。
【００１９】
この発明では、延長部材は第１開口部からキーヘッド部と共に収装されて、連結部のリング部材が第２開口部から露出される一方、中間部の線状材料がキーヘッド部の連結部（連結穴）に連結されることにより、このリング部材と線状材料は筒状部材を介してキーヘッド部と同じ姿勢、すなわち、同一平面内に位置する姿勢で延長された状態で、キーヘッド部の連結部（連結穴）と同様にキーホルダをそのリング部材に連結することができる。また、そのキーヘッド部側の線状材料の端部はキーホルダ側の筒状部材内で自由回転可能であることから相対回転自在に連結することができる。したがって、カバー部材の第２開口部から露出する連結部の筒状部材の連結穴に連結する連結部のリング部材（連結穴）を、キーヘッド部の連結穴と同様に利用してキーホルダを連結することができるとともに、そのカバー部材内に内装する延長部材が線状材料と筒状部材とを連設するだけの構造なのでキーヘッド部の厚さ方向に大きくなってしまうことなく、キーヘッド部を一回り大きくした程度のサイズにカバー部材を抑えることができ、同時に、キーヘッド部側の線状材料の端部をキーホルダ側の筒状部材内に収容するだけの簡易な構造で相対回転自在に連結することができる。
【００２０】
上記課題を解決するキーヘッドカバーの第６の発明は、上記第１から第５のいずれかの発明の特定事項に加え、前記延長部材は、キーホルダ用の連結穴の開口する連結部と、該連結部をキーヘッド部のキーホルダ用の連結穴の開口する連結部に連設する中間部と、を別部品として作製されており、該延長部材の連結部は、キーヘッド部と同様に肉薄に作製されてキーホルダ用の連結穴が開口しているのに対して、中間部は、これらの連結部の連結穴内のそれぞれに差し込んで連結させるＵ字形状が両端側に位置するように形成されていることを特徴とするものである。
【００２１】
この発明では、延長部材の連結部（連結穴）は第１開口部から収装されてキーヘッド部と同じ姿勢、すなわち、同一平面内に位置する姿勢で第２開口部から露出されることによりキーヘッド部の連結部（連結穴）と同様にキーホルダを連結することができる一方、延長部材の中間部は、この連結部とキーヘッド部の連結部の間に位置して両端側のＵ字形状をそれぞれの連結穴内に連結させることができる。したがって、カバー部材の第２開口部から露出する連結部の連結穴をキーヘッド部の連結穴と同様に利用してキーホルダを連結することができるとともに、カバー部材内に内装する延長部材の中間部はＵ字形状が両端側に位置することによりキーヘッド部の厚さ方向に大きくなってしまうことがなく、キーヘッド部を一回り大きくした程度のサイズにカバー部材を抑えることができる。
【００２２】
上記課題を解決するキーヘッドカバーの第７の発明は、上記第１から第６のいずれかの発明の特定事項に加え、前記カバー部材は、鍵機構との間で非接触通信して該鍵機構を操作する鍵操作装置を第１開口部から内装可能に設計されているとともに、前記延長部材は、該鍵操作装置のキーホルダ用の連結部に連結可能に設計されていることを特徴とするものである。
【００２３】
この発明では、カバー部材内にはキーヘッド部に代えて非接触通信することにより鍵機構を操作する鍵操作装置を第１開口部から内装するとともに、その鍵操作装置のキーホルダ用の連結部に連結した延長部材のキーホルダ用連結部を第２開口部から露出させることができる。したがって、錠機構に差し込んで施錠・開錠の操作をするキー本体に連設されているキーヘッド部だけでなく、非接触通信して操作する鍵操作装置もカバー部材内に内装することができ、露出する連結部にキーホルダを連結するとともに、そのカバー部材の表面に所望の目的に応じた飾りなどを取り付けることができる。
【００２４】
上記課題を解決するキーヘッドカバーの第８の発明は、上記第１から第６のいずれかの発明の特定事項に加え、前記延長部材は、カバー部材の第１開口部から内装可能な鈴や発光装置などのアクセサリ用品を連結する手段を備えることを特徴とするものである。
【００２５】
この発明では、カバー部材内にはキーヘッド部に代えてアクセサリ用品を第１開口部から内装するとともに、そのアクセサリ用品に連結した延長部材の連結部を第２開口部から露出させることができる。したがって、錠機構に差し込んで施錠・開錠の操作をするキー本体に連設されているキーヘッド部だけでなく、鈴や発光装置などをカバー部材内に内装することができ、キーホルダとして露出する連結部に他の部材装置などを連結するとともに、そのカバー部材内の鈴を鳴動させたり、発光装置で照明するなどアクセサリ用品を利用することができる。
【発明の効果】
【００２６】
このように本発明によれば、延長部材を連結してキーヘッド部をカバー部材内に第１開口部から収装して内装状態にするだけで、延長部材のキーホルダ用連結部をカバー部材の第２開口部から露出させる状態にすることができ、そのキーヘッド部に機械的に直接連結する延長部材の連結部にキーホルダを信頼性高く連結することができるとともに、そのカバー部材の一端側から他端側までの表面に所望の目的に応じた飾りなどを取り付けることができる。したがって、ブランクキーなどを必要とすることなく、所望の飾りなどをカバー部材の表面に貼付するなどしてキーヘッド部に取り付けることができ、装飾性や使い勝手や信頼性を備える所望のキーヘッド部を容易に入手することができる。
【発明を実施するための最良の形態】
【００２７】
以下、本発明の最良の実施形態を図面に基づいて説明する。図１〜図８は本発明に係るキーヘッドカバーの第１実施形態を示す図である。
【００２８】
図１において、キーヘッドカバー１０は、施錠機構側の鍵穴に先端部１０１ａ側から差し込むキー本体１０１の他端側に連設されて、その施錠機構を操作する際に把持可能に形成されているキーヘッド部１０２（図４を参照）に、容易に着脱可能に取り付けることができるように作製されている。
【００２９】
このキーヘッドカバー１０は、図１６に示す補助リング（金属線２０１を単純に周回している安価なリングの所謂、２重カン）２００などを連結可能なリング部材１１と、このリング部材１１やキー本体１０１のキーヘッド部１０２に予め準備されているキーホルダ用の連結穴１０２ａなどに引っ掛けて連結可能な引掛部材１２と、キーヘッド部１０２の連結穴１０２ａに連結して連設させた引掛部材１２やリング部材１１をキー本体１０１のキーヘッド部１０２自体と共に内部に収装して内装状態にするカバー部材１３と、を備えることにより、所期の機能を損なうことなく、キー本体１０１のキーヘッド部１０２に所望の飾りを付けることを実現する。
【００３０】
リング部材１１は、図２および図３に示すように、金属材料を肉薄のリング形状に形成することにより作製されており、補助リング２００の金属線２０１の間に差し込むように進入させることにより、その補助リング２００に連結することができる。
【００３１】
引掛部材１２は、同様に図２および図３に示すように、硬質の金属線を両端側がＵ字形状になるように屈折させることにより作製されており、その両端部間が幅狭になるように形成されている。この引掛部材１２の金属線の一端部側は、Ｕ字形状に形成してリング部材１１に巻き掛けた後に反対側に延在する金属線に巻き付ける巻付形状（Ｕ字形状）１２ａに形成されることにより、そのリング部材１１から外れないように連結されている。また、この引掛部材１２の金属線の他端部側は、一端側から延長された後にＵ字形状１２ｂに形成されて一端側近傍まで延在しており、その他端部では、一端側の巻付形状１２ａに接近する方向に略直角に屈折した後にその一端側の金属線の周囲を略半周分だけ周回可能に屈曲させた屈曲形状１２ｃに形成されている。
【００３２】
これにより、引掛部材１２は、屈曲形状１２ｃをキーヘッド部１０２の連結穴１０２ａ内に差し込んでＵ字形状１２ｂ側に位置させた後に、その屈曲形状１２ｃを巻付形状１２ａとリング部材１１の間の金属線に引っ掛けることによりリング部材１１とキーヘッド部１０２とを機械的に直接連結してその連結状態を維持することができる。
【００３３】
すなわち、リング部材１１と引掛部材１２が延長部材を構成して、その延長部材の連結部をリング部材１１が構成するとともに、延長部材の中間部を引掛部材１２が構成しており、これにより、図４に示すように、キー本体１０１のキーヘッド部１０２の連結穴１０２ａに引掛部材１２を介してリング部材１１を連結することができ、キーホルダ用の補助リング２００などを連結可能なリング部材１１をそのキーヘッド部１０２から離隔する位置に延長させている。また、このリング部材１１は、肉薄のリング形状に形成されるとともに、引掛部材１２は、両端部側がＵ字形状に形成されることにより、その両端部間がリング形状に形成する場合よりも大幅に幅狭に形成されており、キー本体１０１のキーヘッド部１０２と同様な厚さの引掛部材１２により薄肉のリング部材１１をそのキーヘッド部１０２に連結することができる。
【００３４】
カバー部材１３は、図５に示すように、キー本体１０１のキーヘッド部１０２よりも大き目の面積を有して肉厚の板状に、弾性力を有するとともに成形加工後の表面の摩擦抵抗の大きな樹脂材料、例えば、シリコン樹脂により作製されており、その板状の両外面側に大面積の平面部（表示部）１４が形成されている。
【００３５】
このカバー部材１３は、その一端側（図５中における底辺側）と他端側（図５中における上辺側）のそれぞれで外部に開口するとともに、その両端側の間を内部で連通させるスリット１５が形成されており、スリット１５は、キー本体１０１のキーヘッド部１０２程度の厚さの部材を内装することができる厚さの空間を内部に形成するように作製されている。
【００３６】
このスリット１５は、そのカバー部材１３の一端側ではその端辺の全体に亘って開口することによりキー本体１０１のキーヘッド部１０２を差し込んで内装させる差込口（第１開口部）１５ａを形成しており、反対側の他端側ではその端辺の中央でリング部材１１の外径よりも小さめの幅（内面形状）で開口することによりそのリング部材１１を内部から引き出して外部に臨む状態に保持する露出口（第２開口部）１５ｂを形成している。
【００３７】
これにより、キーヘッドカバー１０は、図４に示すように、リング部材１１と引掛部材１２を連結したキー本体１０１のキーヘッド部１０２を、図１に示すように、カバー部材１３のスリット１５内にその差込口１５ａから差し込んでリング部材１１の一部をスリット１５の露出口１５ｂから外部に露出する状態にすることができる。
【００３８】
この状態では、キーヘッドカバー１０は、キーヘッド部１０２やリング部材１１と引掛部材１２を平板状にして、同等の厚さのスリット１５内に内装させた状態にすることができ、内部から大きく押し広げられてしまうことなく、キーヘッド部１０２を一回り大きくした程度のカバー部材１３をそのまま（平面部１４を平面のままの状態で）キー本体１０１に連設されている状態に取り付けることができる。
【００３９】
さらに、キーヘッドカバー１０は、カバー部材１３の露出口１５ｂから露出するリング部材１１に、図１６に示すキーホルダ用の補助リング２００などをキーヘッド部１０２に準備されている連結穴１０２ａと同様に連結して取り付けることができ、このリング部材１１は、そのキーヘッド部１０２の連結穴１０２ａに引掛部材１２により直接（カバー部材１３を介することなく）連設されていることから、不用意に外れてしまって紛失してしまうことがない。また、カバー部材１３は、シリコン樹脂を成形加工することにより作製されているので、容易に弾性変形させて大きく開口させた差込口１５ａからキー本体１０１のキーヘッド部１０２を差し込んで内装させることができるとともに、同様に、リング部材１１を露出口１５ｂ内に収装させた状態にすることができる。さらに、このカバー部材１３は、接着剤などによることなく、そのスリット１５内面のシリコン樹脂による摩擦抵抗により、内装状態のキーヘッド部１０２やリング部材１１などを滑らないように内部に留めて位置決め保持することができ、このカバー部材１３を把持してキー本体１０１の操作を行なう際の妨げになることがない。反対に、このカバー部材１３は、弾性変形させることによりキーヘッド部１０２やリング部材１１や引掛部材１２をスリット１５内から容易に引き出すことができ、必要に応じて内部から取り出してキー本体１０１の番号などを確認することができる。ここで、このカバー部材１３のシリコン樹脂は、耐熱性、耐薬品性、自己潤滑性、耐摩耗性にも富むことから、キー本体１０１のキーヘッド部１０２のカバーとして快適に利用することができる。
【００４０】
また、キーヘッドカバー１０は、キーヘッド部１０２と同等の大きさに形成したカバー部材１３内に、平面部１４の平面状態を維持したままそのキーヘッド部１０２などを内装して取り付けることができることから、従来技術のようにキーヘッド部１０２に取付固定するためのネジや開口に邪魔されることなく（装飾性が損なわされてしまうことなく）、その平面部１４の全面に各種情報を表示させることができる。例えば、カバー部材１３には、図１に示すように、その平面部１４の一面側に所望の飾り模様のシール１６などを交換可能に貼付して装飾することができるとともに、また、その平面部１４の他面側には故障時などに必要な連絡先や販売店などの広告等を印刷するなどして、キー本体１０１のキーヘッド部１０２に好みのキーホルダを取り付けるために外されてしまうことなく、その好みのキーホルダと共にキーヘッド部１０２の外面に必要な各種情報を直接表示することができる。
【００４１】
また、キーヘッドカバー１０は、カバー部材１３のスリット１５内に各種部材も内装することができることから、所望の各種装置やアクセサリ用品などの各種部材を収容することもできる。例えば、このキーヘッドカバー１０には、図６に示すように、鍵機構との間で非接触通信してその鍵機構の施錠や開錠を離隔操作するＩＣチップ（鍵操作装置）２１を収容するＩＣケース２２や、図７に示すように、鈴３１を取り付けた補助リング３２や、ＬＥＤ（light-emitting diode）４１などを装着した発光装置４２などに、引掛部材１２を連結することによりその引掛部材１２に連結したリング部材１１と共にカバー部材１３内に内装することができる。
【００４２】
具体的には、ＩＣチップ２１は、鍵機構に接近するだけで該当者であることを証明する各種情報を非接触通信によりやり取りする機能を備えるものであり、このＩＣチップ２１は、一端側に傾斜面２１ａを有する非対称形状に形成されている。ＩＣケース２２は、そのＩＣチップ２１の非対称形状に一致する開口部２３ａの形成されているブロック２３を収容口２２ａから内部に収容することによりそのブロック２３内にＩＣチップ２１を安定した姿勢で保持させるようになっており、このＩＣケース２２は、収容口２２ａ側に開口する連結穴２２ｂに引掛部材１２を引っ掛けてリング部材１１を連結することによりカバー部材１３のスリット１５内に差込口１５ａから内装することができる寸法に設計されている。これにより、キーヘッドカバー１０は、鍵機構との間で非接触通信して施錠や開錠を離隔操作可能なＩＣチップ２１をキーホルダに取り付け可能して利用することができ、そのカバー部材１３の平面部１４の全面に飾りなどの各種情報を表示させることができる。
【００４３】
また、鈴３１は、補助リング２００と同様の補助リング３２に取り付けられており、その補助リング３２に引掛部材１２を引っ掛けてリング部材１１を連結することによりカバー部材１３のスリット１５内に差込口１５ａから内装することができる。これにより、キーヘッドカバー１０は、カバー部材１３から露出するリング部材１１に補助リング２００などを連結して、内装する鈴３１を鳴動させることのできるキーホルダとしても利用することができる。
【００４４】
また、ＬＥＤ４１は、接続端子４１ａ、４１ｂに電池などを接続することにより発光させることができる汎用の発光ダイオードであり、このＬＥＤ４１は、電池４３を収装して固定する電池ケース４４の一端側（図８中の下側）から露出するように位置決め固定されている。このＬＥＤ４１は、一方の接続端子４１ａが電池４３の不図示の一面側（図８中の裏面側）の電極面に常時接続されているとともに、反対側の接続端子４１ｂは、その電池４３の他面４３ａに接離可能に板電極４５が溶接などされて導通接続されている。この板電極４５は、定常時には電池４３の他面４３ａから離隔するように作製されており、電池ケース４４の両面側を摘ままれるなどして電池４３に接近させる方向の負荷が加えられることにより、その他面４３ａに接触してＬＥＤ４１を発光させるように機能する。また、電池ケース４４は、ＬＥＤ４１の反対側（図８中の上側）に形成されている連結部４６内の連結穴４６ａに引掛部材１２を引っ掛けてリング部材１１を連結することによりカバー部材１３のスリット１５内に差込口１５ａから内装することができる寸法に設計されている。これにより、キーヘッドカバー１０は、カバー部材１３から露出するリング部材１１に補助リング２００などを連結して、内装するＬＥＤ４１を点灯操作することのできるキーホルダとしても利用することができる。
【００４５】
このように本実施形態においては、リング部材１１と引掛部材１２をキーヘッド部１０２に直接機械的に連結してカバー部材１３内に差込口１５ａから差し込んで内装させるとともに、そのリング部材１１をカバー部材１３の露出口１５ｂから外部に露出させることができ、そのカバー部材１３の平面部１４には所望の目的に応じた飾りや広告などを表示させることができる。したがって、特別に各種多様なブランクキーなどを必要とすることなく、所望の飾りシール１６などをカバー部材１３の平面部１４に貼付するなどしてキーヘッド部１０２に取り付けることができ、装飾性や使い勝手や信頼性を損なうことなく、キーヘッド部１０２に所望の表示などを付加することができる。
【００４６】
次に、図９〜図１２は本発明に係るキーヘッドカバーの第２実施形態を示す図である。ここで、本実施形態では、上述実施形態と略同様に構成されていることから、同様の構成には同一の符号を付して特徴部分を説明する。
【００４７】
図９において、キーヘッドカバー５０は、上述第１実施形態と同様に、リング部材５１と、引掛部材５２と、カバー部材５３と、を備えるのに加えて、円筒部材６１がそのリング部材５１と引掛部材５２の間に介装されており、これら各部材５１、５２、５３、６１によりキー本体１０１のキーヘッド部１０２に容易に着脱可能に取り付けることができるとともに、所期の機能を損なうことなく、キー本体１０１のキーヘッド部１０２に所望の飾りを付けることを実現する。
【００４８】
円筒部材６１は、一端側が開口して他端側が閉塞されている有底の円筒形状に形成されており、耐久性を有する材料、例えば、金属材料により作製されている。この円筒部材６１は、その開口側側面の円筒中心の対称位置にはリング部材５１を差し込んで連結する側面連結穴６１ａが貫通穿孔されているとともに、その底面の円形中心には引掛部材５２を挿通可能な底面連結穴６１ｂが貫通穿孔されている。また、この円筒部材６１は、キー本体１０１のキーヘッド部１０２の厚さ程度の外径寸法に設定されているとともに、後述するように、その内部の底面側に位置する引掛部材５２の両端部６２ａがリング部材５１を側面連結穴６１ａの双方に貫通させる際に妨げにならない箇所にその側面連結穴６１ａを形成可能な長さに寸法設定されている。
【００４９】
リング部材５１は、上述第１実施形態と同様に、補助リング２００などを連結可能に作成されているが、このリング部材５１は、補助リング２００と同様に金属線２０１を単純に周回している安価なリングの所謂、２重カン構造に作製されており、その金属線２０１間を離隔させて金属線２０１の一端部２０１ａを円筒部材６１の側面連結穴６１ａ内に差し込むように進入させた後に、その金属線２０１の他端部２０１ａ側から側面連結穴６１ａ内から離脱させるように周回させることにより、貫通させて連設状態にすることができる。
【００５０】
なお、このリング部材５１は、円筒部材６１の側面連結穴６１ａに対する同様の取り扱いにより、あるいは、上述第１実施形態のリング部材１１と同様の取り扱いをすることによっても、キーホルダ用の補助リング２００に連結することができるとともに、この補助リング２００に代えてキーホルダ自体にも連結することができる。
【００５１】
引掛部材５２は、図１０に示すように、丈夫な紐材料（線状材料）６２の両端部６２ａを揃えた状態にして円筒部材６１の底面連結穴６１ｂ内に差し込むように進入させることにより進退可能に挿通させた後に、その両端部６２ａ同士を結ぶことによって、その筒状部材６１の底面連結穴６１ｂから引き抜き不能に連結させるように作製されており、中央部付近の先端部６２ｂでは折り返された状態のＵ字形状に形成されている。
【００５２】
これにより、引掛部材５２は、図１１に示すように、紐材料６２のＵ字先端部６２ｂからキー本体１０１のキーヘッド部１０２に開口する連結穴１０２ａ内に差し込んで円筒部材６１（両端部６２ａ）を紐材料６２間に通すことにより、機械的に直接連結して、その連結状態を維持することができ、その円筒部材６１には、図１０に示すように、引掛部材５２（紐材料６２）を連結する底面連結穴６１ｂの反対側の側面連結穴６１ａに、リング部材５１の金属線２０１を一端部２０１ａより差し込んで周回させることにより連設状態にすることができる。
【００５３】
すなわち、リング部材５１、円筒部材６１および引掛部材５２が延長部材を構成して、その延長部材の中間部を引掛部材５２の紐材料６２が構成するとともに、延長部材の連結部をリング部材５１と円筒部材６１が構成しており、これにより、上述するように、キー本体１０１のキーヘッド部１０２の連結穴１０２ａに引掛部材５２と円筒部材６１を介してリング部材５１を連結することができ、キーホルダ用の補助リング２００などを連結可能なリング部材５１をそのキーヘッド部１０２から離隔する位置に延長させている。また、引掛部材５２（紐材料６２）は、円筒部材６１の底面連結穴６１ｂに通した状態にして端部６２ａ同士を結んで連結していることから、その延長姿勢を維持したままその結んだ両端部６２ａを円筒部材６１内で自由回転させて相対回転させることができ、キー本体１０１とリング部材５１とを相対回転自在に連結することができる。
【００５４】
そして、カバー部材５３は、図１２に示すように、上述実施形態と同様に、キー本体１０１のキーヘッド部１０２よりも大面積の平面部５４を備えるように、弾性力を有する樹脂材料により作製されており、その一端側（図１２（ｄ））と他端側（図１２（ｃ））のそれぞれで外部に開口して連通しているとともに、キー本体１０１のキーヘッド部１０２程度の厚さの部材を内装することができる厚さの空間を内部に形成するスリット５５が成形されている。
【００５５】
このスリット５５は、上述実施形態と同様に、そのカバー部材５３の一端側に差込口（第１開口部）５５ａが形成される一方、反対側の他端側には露出口（第２開口部）５５ｂが形成されており、その差込口５５ａは、その端辺の全体に亘って開口してキー本体１０１のキーヘッド部１０２を差し込んで内装させることができるように形成され、また、露出口５５ｂは、その端辺の中央で円筒部材６１の外径よりも小さめの幅（内面形状）に設定されている開口、例えば、四角形状（円形でも良いことは言うまでもない）で開口している。これにより、カバー部材５３は、キー本体１０１のキーヘッド部１０２を差込口５５ａから収装させることができるとともに、そのキーヘッド部１０２の厚さ程度の外径寸法に設定されている円筒部材６１を露出口５５ｂから引き出して外部に臨む状態に保持することができる。ここで、リング部材５１は、カバー部材５３の外部に位置してその露出口５５ｂよりも外径が大きいことから、そのカバー部材５３は、上述実施形態のようシリコン樹脂以外の樹脂で作製してもよい。
【００５６】
すなわち、キーヘッドカバー５０は、このカバー部材５３のスリット５５内にリング部材５１を内装状態にすることなく、引掛部材５２に連結した円筒部材６１の一端側が露出してそのリング部材５１をカバー部材５３の外部に位置させることにより回転自在に連結することができ、この位置関係を確保可能にその引掛部材５２の紐材料６２の長さが設定されている。
【００５７】
これにより、キーヘッドカバー５０は、円筒部材６１と引掛部材５２を連結したキー本体１０１のキーヘッド部１０２を、カバー部材５３のスリット５５内にその差込口５５ａから差し込んでその円筒部材６１の一部をスリット５５の露出口５５ｂから外部に露出する状態にした後に、そのカバー部材５３の外部に露出する円筒部材６１にリング部材５１を連結することができる。なお、このキーヘッドカバー５０の組立作業では、キー本体１０１のキーヘッド部１０２（連結穴１０２ａ）に連結させた引掛部材５２（紐材料６２）端部の円筒部材６１の側面連結穴６１ａに、丈夫な紐材料を通して仮の状態に連設した後に、その紐材料をカバー部材５３の差込口５５ａから差し込んで露出口５５ｂから外部に引き出すことにより、その円筒部材６１の端部を外部に露出させることができ、その側面連結穴６１ａにリング部材５１を連結させることができる。
【００５８】
この状態では、キーヘッドカバー５０は、上述実施形態と同様に、キーヘッド部１０２や引掛部材５２を同等の厚さのスリット５５内に内装させて一回り大きくした程度のカバー部材５３を、そのまま（平面部５４を平面のままの状態で）キー本体１０１に連設されている状態に取り付けることができ、従来技術のようにキーヘッド部１０２に取付固定するためのネジや開口に邪魔されることなく（装飾性が損なわされてしまうことなく）、その平面部５４の全面に各種情報を表示させることができる。
【００５９】
また、このキーヘッドカバー５０は、カバー部材５３の外部に位置して直接連結されているリング部材５１に、図１６に示すキーホルダ用の補助リング２００やキーホルダ自体などを不用意に外れてしまって紛失してしまうことがないように連結して取り付けることができ、また、そのリング部材５１は自由に相対回転することができることから、キーホルダ側に対してキー本体１０１側が繰り返し回転してもそのストレスを溜めてしまうことなく相対回転してその負荷を解消することができる。
【００６０】
このように本実施形態においては、上述実施形態と同様の作用効果を得ることができるとともに、リング部材５１と引掛部材５２の間に円筒部材６１を介装するだけの簡易に連設可能な構造で、キーホルダ側のリング部材５１とキー本体１０１側の引掛部材５２の間が繰り返し捻れて破断等してしまうことなく、連結状態を維持することができる。したがって、不用意に破断してカバー部材５３からキーホルダやキー本体１０１が脱落して紛失してしまうことを信頼性高く回避することができる。
【産業上の利用可能性】
【００６１】
これまで本発明の一実施形態について説明したが、本発明は上述の実施形態に限定されず、その技術的思想の範囲内において種々異なる形態にて実施されてよいことは言うまでもない。
【図面の簡単な説明】
【００６２】
【図１】本発明に係るキーヘッドカバーの一実施形態を示す図であり、（ａ）はそのキー本体への取付状態を示す平面図、（ｂ）はそのキー本体への取付状態を示す側面図である。
【図２】その要部部品を示す平面図である。
【図３】その図２に示す要部部品の連結前の状態を示す図であり、（ａ）はその一面側からの平面図、（ｂ）は（ａ）の一面側に対する裏面側からの平面図である。
【図４】その図２に示す要部部品の連結状態を示す平面図である。
【図５】その図２と異なる要部部品を示す図であり、（ａ）はその平面図、（ｂ）はその側面図である。
【図６】その内部に内装可能な装置を示す透視平面図である。
【図７】その図６と異なる内装可能なアクセサリ用品を示す平面図である。
【図８】その図６や図７と異なる内装可能なアクセサリ用品を示す平面図である。
【図９】本発明に係るキーヘッドカバーの第２実施形態を示す図であり、（ａ）はそのキー本体への取付状態を示す平面図、（ｂ）はそのキー本体への取付状態を示す側面図である。
【図１０】その要部部品を示す平面図である。
【図１１】その図１０に示す要部部品の連結状態を示す平面図である。
【図１２】その図１０と異なる要部部品を示す図であり、（ａ）はその平面図、（ｂ）はその側面図、（ｃ）はその上面図、（ｄ）はその底面図である。
【図１３】その従来技術のブランクキーを示す平面図である。
【図１４】そのキーヘッドカバーの取付対象の一例を示す平面図である。
【図１５】その図１３と異なる従来技術を示す平面図である。
【図１６】その図１４に示す取付対象に連結するキーホルダ用のリングを示す平面図である。
【符号の説明】
【００６３】
１０、５０……キーヘッドカバー    １１、５１……リング部材    １２、５２……引掛部材    １２ａ……巻付形状    １２ｂ……Ｕ字形状    １２ｃ……屈曲形状    １３、５３……カバー部材    １４、５４……平面部    １５、５５……スリット    １５ａ、５５ａ……差込口    １５ｂ、５５ｂ……露出口    １６……シール    ２１……ＩＣチップ    ２２……ＩＣケース    ２２ｂ……連結穴    ２３……ブロック    ３１……鈴    ３２……補助リング    ４１……ＬＥＤ    ４１ａ、４１ｂ……接続端子    ４２……発光装置    ４３……電池    ４４……電池ケース    ４５……板電極    ４６……連結部    ６１……円筒部材    ６１ａ……側面連結穴    ６１ｂ……底面連結穴    ６２ｂ……Ｕ字先端部    ６２……紐材料    ６２ａ……両端部    １０１……キー本体    １０２……キーヘッド部    １０２ａ……連結穴
【図１】
2009036015.tif 000003
【図２】
2009036015.tif 000004
【図３】
2009036015.tif 000005
【図４】
2009036015.tif 000006
【図５】
2009036015.tif 000007
【図６】
2009036015.tif 000008
【図７】
2009036015.tif 000009
【図８】
2009036015.tif 000010
【図９】
2009036015.tif 000011
【図１０】
2009036015.tif 000012
【図１１】
2009036015.tif 000013
【図１２】
2009036015.tif 000014
【図１３】
2009036015.tif 000015
【図１４】
2009036015.tif 000016
【図１５】
2009036015.tif 000017
【図１６】
2009036015.tif 000018